(57)【要約】【課題】落下衝撃を受けた場合でも外観性を低下させることなく、ドーム部の亀裂の発生を抑制できるブリスター包装容器を提供する。【解決手段】ドーム状に膨出し、複数の毛束が設けられたヘッド部５３、ネック部５４及びハンドル部５５が先端側から後端側に順次設けられた歯ブラシ５０を収容するドーム部１１を備えた透明樹脂製の容器本体１０と、ドーム部の開口側を閉鎖する板体２０とを備える。ドーム部は、板体との間に歯ブラシを収容した容器本体が、ヘッド部が上側となる向きで吊り下げられたときに、ハンドル部の後端側端部５５ａに当接する当接部４８を有する。当接部は、後端側に向かうのに従って板体に接近する向きに傾く当接面４８ａを有する。当接面は、ハンドル部の長さ方向と直交する面に対する交差角度が３０°以上、９０°未満である。【選択図】図２
2020066443.tif 000002
【特許請求の範囲】
【請求項１】
ドーム状に膨出し、複数の毛束が設けられたヘッド部、ネック部及びハンドル部が先端側から後端側に順次設けられた歯ブラシを収容するドーム部を備えた透明樹脂製の容器本体と、
前記ドーム部の開口側を閉鎖する板体とを備え、
前記ドーム部は、前記板体との間に前記歯ブラシを収容した前記容器本体が、前記ヘッド部が上側となる向きで吊り下げられたときに、前記ハンドル部の前記後端側端部に当接する当接部を有し、
前記当接部は、前記後端側に向かうのに従って前記板体に接近する向きに傾く当接面を有し、
前記当接面は、前記ハンドル部の長さ方向と直交する面に対する交差角度が３０°以上、９０°未満であることを特徴とするブリスター包装容器。
【請求項２】
前記交差角度は、３０°以上、７０°以下である、請求項１記載のブリスター包装容器。
【請求項３】
前記ヘッド部は、前記板体に沿い前記長さ方向と直交する幅方向で前記ネック部よりも突出する突部を有し、
前記ドーム部は、前記板体との間に前記歯ブラシを収容した前記容器本体が、前記ヘッド部が上側となる向きで吊り下げられたときに、前記突部に前記後端側から当接する第２当接部を有する、請求項１または２に記載のブリスター包装容器。
【発明の詳細な説明】
【技術分野】
【０００１】
本発明は、ブリスター包装容器に関するものである。
【背景技術】
【０００２】
従来、歯ブラシを収容する包装容器として、歯ブラシが収容されるブリスター部分（容器本体）がドーム形状に突出しているドーム部と、ドーム部（収容部）の開口部分を閉鎖する板体とを有するブリスター包装容器が知られている。
【０００３】
このようなブリスター包装容器では、輸送中の落下や、店頭で金具などに吊り下げられた状態から取り外す際に誤って落としてしまう等の事態により、落下衝撃を受けることがある。その際、歯ブラシにおけるハンドル部の下端部を介して落下衝撃を受けるブリスタードーム底部に亀裂を生じさせることが懸念されている。
【０００４】
特許文献１には、ブリスターパック下端部の台紙中央部に位置する箇所に切り欠き部を設けることや、歯ブラシハンドルに設けられた吊り下げ用穴に挿入されて歯ブラシハンドルを支持する凹みをブリスタードームに設けること、さらに、ブリスタードームにおける歯ブラシハンドル下端受け部を台形形状とすることによって、歯ブラシ柄が外装体の歯ブラシ柄下端受け部に与える衝撃を、歯ブラシ柄下端を支える２箇所に分散することが開示されている。
【先行技術文献】
【特許文献】
【０００５】
【特許文献１】特開２００９−１０７６４９号公報
【発明の概要】
【発明が解決しようとする課題】
【０００６】
しかしながら、上述したようなブリスター包装容器では、落下衝撃が切り欠き部の両側の台紙に集中して台紙が変形するため、外観性が低下するという問題が生じる。また、上述したブリスター包装容器において、歯ブラシハンドルを支持する凹みを設けることは、歯ブラシハンドルに吊り下げ用穴が設けられた歯ブラシにしか適用できないという制約がある。
【０００７】
さらに、ブリスタードームの歯ブラシハンドル下端受け部を台形形状とした場合でも、落下衝撃が全てブリスタードームに加わるため、ブリスタードームの亀裂防止対策としては十分とは言えない。
【０００８】
本発明は、以上のような点を考慮してなされたもので、落下衝撃を受けた場合でも外観性を低下させることなく、ドーム部における亀裂の発生を抑制できるブリスター包装容器を提供することを目的とする。
【課題を解決するための手段】
【０００９】
本発明の第１の態様に従えば、ドーム状に膨出し、複数の毛束が設けられたヘッド部、ネック部及びハンドル部が先端側から後端側に順次設けられた歯ブラシを収容するドーム部を備えた透明樹脂製の容器本体と、前記ドーム部の開口側を閉鎖する板体とを備え、前記ドーム部は、前記板体との間に前記歯ブラシを収容した前記容器本体が、前記ヘッド部が上側となる向きで吊り下げられたときに、前記ハンドル部の前記後端側端部に当接する当接部を有し、前記当接部は、前記後端側に向かうのに従って前記板体に接近する向きに傾く当接面を有し、前記当接面は、前記ハンドル部の長さ方向と直交する面に対する交差角度が３０°以上、９０°未満であることを特徴とするブリスター包装容器が提供される。
【００１０】
また、上記本発明の一態様に係るブリスター包装容器において、前記交差角度は、３０°以上、７０°以下であることを特徴とする。
【００１１】
また、上記本発明の一態様に係るブリスター包装容器において、前記ヘッド部は、前記板体に沿い前記長さ方向と直交する幅方向で前記ネック部よりも突出する突部を有し、前記ドーム部は、前記板体との間に前記歯ブラシを収容した前記容器本体が、前記ヘッド部が上側となる向きで吊り下げられたときに、前記突部に前記後端側から当接する第２当接部を有することを特徴とする。
【発明の効果】
【００１２】
本発明では、落下衝撃を受けた場合でも外観性を低下させることなく、ドーム部の亀裂の発生を抑制できる。
【図面の簡単な説明】
【００１３】
【図１】本発明の実施の形態を示す図であって、ブリスター包装容器１の分解斜視図である。
【図２】歯ブラシ５０が収容されたブリスター包装容器１を、ヘッド部５３が上側となる向きで吊り下げたときの側面断面図である。
【図３】図２におけるヘッド部５３近傍を＋Ｚ側から視た部分正面図である。
【図４】図２における端部収容部４６を拡大した部分拡大図である。
【図５】図２における端部収容部４６近傍を＋Ｚ側から視た部分正面図である。
【発明を実施するための形態】
【００１４】
以下、本発明のブリスター包装容器の実施の形態を、図１ないし図５を参照して説明する。
なお、以下の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００１５】
図１は、ブリスター包装容器１の分解斜視図である。図２は、歯ブラシ５０が収容されたブリスター包装容器１を、ヘッド部５３が上側となる向きで吊り下げたときの側面断面図である。
ブリスター包装容器１は、容器本体１０及び板体２０を有している。容器本体１０及び板体２０は、平面視略矩形の板状に形成されている。容器本体１０は、歯ブラシ５０を収容するドーム部１１を有している。
【００１６】
歯ブラシ５０は、先端側に設けられたヘッド部５３、ヘッド部５３の後端側に設けられたネック部５４、ネック部５４の後端側に設けられたハンドル部５５を有している。すなわち、歯ブラシ５０は、先端側から後端側に順次設けられたヘッド部５３、ネック部５４及びハンドル部５５を有する。
【００１７】
なお、以下で説明する歯ブラシ５０の構成は一例である。本実施形態に係るブリスター包装容器１が収容する歯ブラシ５０を限定するものではない。
【００１８】
ヘッド部５３は、植毛面５１に毛束５２が植設されている。ヘッド部５３の形状、長さ、幅、厚さ等については特に限定されない。本実施形態におけるヘッド部５３は、厚さが、一例として２．０ｍｍ〜４．０ｍｍの範囲に設定された薄型ヘッドである。
【００１９】
以下の説明においては、容器本体１０、板体２０及び歯ブラシ５０の長手方向をＹ方向とし、植毛面５１と平行でＹ方向と直交するヘッド部５３の幅方向をＸ方向とし、Ｙ方向及びＸ方向と直交するとともに植毛面５１と直交する方向をＺ方向として適宜説明する。
【００２０】
図３は、図２におけるヘッド部５３近傍を＋Ｚ側から視た部分正面図である。
ヘッド部５３は、図２に示すように、ハンドル部５５の長さ方向であるＹ方向が長手とされ、正面視において頂部が曲線で隅切りされた平板状とされている。ヘッド部５３は、正面視において、ヘッド部５３の先端からネック部５４に向かうに従い幅方向外側に広がり、次いで同等の幅で延在し、次いで幅方向内側に狭まり、ネック部５４との境界に至る形状を有している。
【００２１】
すなわち、ヘッド部５３は、ネック部５４との境界近傍に、幅方向でネック部５４よりも突出する突部５３ａを幅方向の両側にそれぞれ有している。
【００２２】
ネック部５４は、ヘッド部５３とハンドル部５５とを一体的に接続する。
本実施形態において、ネック部５４は、正面視でハンドル部５５に向かって拡幅して延びている。
【００２３】
ハンドル部５５は、ネック部５４との境界から正面視で一定幅で後端側に延びた後、後端側に向かって縮幅している。ハンドル部５５におけるネック部５４との境界から一定幅で後端側に延びる領域は、正面視で最も広い幅の主把持部である。主把持部よりも後端側で縮幅したハンドル部５５は、後端側に向かって正面視で先端側の幅よりも狭い一定幅で延びている。ハンドル部５５の断面形状は、略矩形である。
【００２４】
図２に示すように、歯ブラシ５０は、Ｘ方向視である側面視におけるＺ方向の長さを示す厚さがヘッド部５３において最も薄い。歯ブラシ５０の厚さは、ヘッド部５３からネック部５４とハンドル部５５との境界に亘って、後端側に向かうに従って徐々に厚くなる。歯ブラシ５０の厚さは、上記主把持部で最大厚さとなり、後端側に向かって漸次厚さが薄くなった後に後端側端部まで一定の厚さで延びている。
【００２５】
容器本体１０は、平面視略矩形状の基板部１２と、基板部１２外周端縁から−Ｚ側に全周に亘って延びる側壁部１３と、側壁部の−Ｚ側端部から外側に張り出すフランジ部１４とを有している。フランジ部１４は、ＸＹ平面と平行である。
【００２６】
容器本体１０として、例えばポリエステル系樹脂、ポリカーボネート系樹脂、ポリエチレン系樹脂、ポリプロピレン系樹脂、ポリスチレン系樹脂等が挙げられ、とくに透明性に優れるポリエステル系樹脂のポリエチレンテレフタレート樹脂が好適に用いることができる。
【００２７】
基板部１２は、＋Ｚ側にドーム状に膨出するドーム部１１を有している。
ドーム部１１は、板体２０と対向する−Ｚ側が開口している。ドーム部１１は、開口する−Ｚ側から歯ブラシ５０を収容する。ドーム部１１は、植毛面５１及び毛束５２が＋Ｚ側に向く姿勢で歯ブラシ５０を収容する。
【００２８】
ドーム部１１は、ヘッド部５３を収容するヘッド収容部４３と、ネック部５４を収容するネック収容部４４と、ハンドル部５５の後端側端部５５ａを除いた領域を収容するハンドル収容部４５と、ハンドル部５５の後端側端部５５ａを収容する端部収容部４６とを有している。
【００２９】
ヘッド収容部４３は、図２に示すように、ドーム部１１と板体２０との間に歯ブラシ５０が収容されたときに、側面視において毛束５２の先端よりも＋Ｚ側に離間する高さで設けられている。ヘッド収容部４３は、図３に示すように、正面視におけるヘッド部５３の外形輪郭よりも大きな外形輪郭で形成されている。ヘッド収容部４３は、正面視において、ヘッド部５３の突部５３ａに−Ｙ側から当接する当接部（第２当接部）４３ａを有している。当接部４３ａは、板体２０との間に歯ブラシ５０を収容した容器本体１０が、ヘッド部５３が上側となる向き（ずなわち、Ｙ軸方向が鉛直方向で＋Ｙ側が上側となる向き）で吊り下げられたときにヘッド部５３の突部５３ａに当接する。
【００３０】
ドーム部１１と板体２０との間に歯ブラシ５０が収容されたときに、側面視におけるネック部５４とネック収容部４４とのＺ方向の距離は、図２に示すように、毛束５２の先端とヘッド収容部４３とのＺ方向の距離よりも小さく設定されている。また、図３に示すように、ドーム部１１と板体２０との間に歯ブラシ５０が収容されたときに、正面視におけるネック部５４とネック収容部４４とのＸ方向の距離は、正面視におけるヘッド部５３とヘッド収容部４３とのＸ方向の距離よりも小さく設定されている。
【００３１】
従って、本実施形態のブリスター包装容器１では、ネック部５４とネック収容部４４との隙間がヘッド部５３とヘッド収容部４３との隙間よりも小さくなる。そのため、本実施形態のブリスター包装容器１では、ネック収容部４４に対するネック部５４のＺ方向への移動及びＸ方向への移動が規制されることにより、ヘッド部５３がＺ方向またはＸ方向に移動して毛束５２がヘッド収容部４３に当接して変形する等の不具合を抑制することができる。
【００３２】
ハンドル収容部４５は、ネック部５４の後端側の一部と、後端側端部５５ａを除いた領域のハンドル部５５とを収容する。ハンドル収容部４５のＸ方向の幅は、基板部１２のＸ方向の幅とほぼ同一である。
【００３３】
図４は、図２における端部収容部４６を拡大した部分拡大図である。図５は、図２における端部収容部４６近傍を＋Ｚ側から視た部分正面図である。図４及び図５においては、＋Ｙ側が鉛直方向の上側となる状態が示されている。
図１、図４及び図５に示すように、端部収容部４６は、後端側端部５５ａの＋Ｚ側に配置された保持部４７及び当接部４８と、後端側端部５５ａのＸ方向両側に配置された保持部４９とを有している。
【００３４】
保持部４９は、ＹＺ平面と略平行に配置されている。各保持部４９と後端側端部５５ａとのＸ方向の距離は、ハンドル収容部４５とハンドル部５５とのＸ方向の距離よりも小さい。各保持部４９と後端側端部５５ａとのＸ方向の距離は、ネック部５４とネック収容部４４とのＸ方向の距離と同等である。従って、歯ブラシ５０は、先端側においてネック部５４がネック収容部４４に小さな隙間でＸ方向に保持され、後端側において後端側端部５５ａが保持部４９に小さな隙間でＸ方向に保持される。そのため、歯ブラシ５０は、Ｘ方向に位置決めされＹ方向に延びた状態でドーム部１１に保持されて収容されている。
【００３５】
図４に示すように、保持部４７は、ＸＹ平面と略平行である。保持部４７と後端側端部５５ａとのＺ方向の距離は、ハンドル収容部４５とハンドル部５５とのＺ方向の距離よりも小さい。保持部４７と後端側端部５５ａとのＺ方向の距離は、ネック部５４とネック収容部４４とのＺ方向の距離と同等である。従って、歯ブラシ５０は、先端側においてネック部５４がネック収容部４４に小さな隙間でＺ方向に保持され、後端側において後端側端部５５ａが保持部４７に小さな隙間でＺ方向に保持される。そのため、歯ブラシ５０は、Ｚ方向に位置決めされＹ方向に延びた状態でドーム部１１に保持されて収容されている。
【００３６】
当接部４８は、板体２０との間に歯ブラシ５０を収容した容器本体１０が、ヘッド部５３が上側となる向き（ずなわち、Ｙ軸方向が鉛直方向で＋Ｙ側が上側となる向き）で吊り下げられたときに、後端側端部５５ａと当接する当接面４８ａを有している。すなわち、本実施形態のブリスター包装容器１は、ヘッド部５３が上側となる向きで吊り下げられたときに、ヘッド収容部４３の当接部４３ａがヘッド部５３の突部５３ａに後端側（すなわち下側）から当接するとともに、当接部４８の当接面４８ａが後端側端部５５ａに後端側（すなわち下側）から当接する。
【００３７】
当接面４８ａは、保持部４７の−Ｙ側端部から後端側（−Ｙ側）に向かうのに従って板体２０に接近する向きに傾いている。当接面４８ａは、ハンドル部５５の長さ方向と直交するＸＺ平面と平行な面に対して交差角度θでＸ軸周りに傾いている。
【００３８】
板体２０は、容器本体１０と同一の外形輪郭を有している。板体２０は、容器本体１０のフランジ部１４と溶着、接着等によって固定されている。板体２０を構成する材料は特には限定されないが、例えば各種の樹脂製シートや紙材をシート基材とするシートを用いることができる。シート基材が紙材である場合、例えば、紙のみからなる厚紙や、紙製シートに各種樹脂をコーティング又は樹脂製シートや蒸着シートを張り合わせた合成紙等が一例として挙げられる。
【００３９】
ブリスター包装容器１は、図１に示すように、容器本体１０及び板体２０が切り欠かれＺ方向に貫通する切欠部６０を有している。切欠部６０は、ヘッド収容部４３よりも＋Ｙ側に設けられている。切欠部６０は、第１切欠部６１と第２切欠部６２とを有している。
【００４０】
第１切欠部６１は、一端が容器本体１０及び板体２０の−Ｘ側の端縁に開口している。第１切欠部６１は、＋Ｘ側に向かうのに従って、漸次＋Ｙ側に向かう方向に延びている。第２切欠部６２は、第１切欠部６１の他端から＋Ｙ側に延びている。第２切欠部６２の＋Ｙ側の端部は、中心が−Ｙ側に位置する円弧部である。当該円弧部の中心位置は、歯ブラシ５０を収容したブリスター包装容器１の重心位置を通るＹ方向に延びる直線上に配置されている。
【００４１】
上記構成のブリスター包装容器１は、例えば、店頭においてＺ方向に延びる金具等の軸部材を、第２切欠部６２に−Ｚ側から挿通させて円弧部に係合させることで、板体２０との間に歯ブラシ５０を収容した容器本体１０が、ヘッド部５３が上側となる向きで吊り下げられた状態で陳列される。
【００４２】
また、ブリスター包装容器１を＋Ｘ側から−Ｘ側に相対移動させて、Ｚ方向に延びる金具等の軸部材に対して軸と直交する方向に軸部材を第１切欠部６１から第２切欠部６２に導入し、円弧部に係合させることが可能である。円弧部の中心位置が歯ブラシ５０を収容したブリスター包装容器１の重心位置を通るＹ方向に延びる直線上に配置されているため、歯ブラシ５０が鉛直方向に沿った姿勢で吊り下げられた状態でブリスター包装容器１を陳列することができる。
【００４３】
ブリスター包装容器１が吊り下げられた状態においては、ヘッド収容部４３の当接部４３ａがヘッド部５３の突部５３ａに後端側（すなわち下側）から当接し、当接部４８の当接面４８ａが後端側端部５５ａに後端側（すなわち下側）から当接している。
【００４４】
例えば、吊り下げられて陳列されたブリスター包装容器１は、ヘッド部５３が上側となる向きで吊り下げられた状態から落下した場合、落下衝撃は、ヘッド部５３の突部５３ａからヘッド収容部４３の当接部４３ａに伝達されるとともに、ハンドル部５５の後端側端部５５ａから当接部４８の当接面４８ａに伝達される。
【００４５】
当接面４８ａは、後端側に向けて板体２０に接近する向きに傾斜しているため、落下時に後端側端部５５ａは、当接面４８ａに沿って滑る。後端側端部５５ａが滑ることにより、ブリスター包装容器１の落下時（以下、単に落下時と称する）に後端側端部５５ａと接触する当接面４８ａの面積が増加する。そのため、当接面４８ａに加わる単位面積あたりの落下衝撃を小さくすることができる。
【００４６】
また、落下時に当接する後端側端部５５ａから伝達される力により生じる当接面４８ａの垂直抗力のうち、−Ｚ側に向く水平方向成分の力が、交差角度θに応じた大きさで後端側端部５５ａに加わる。
【００４７】
例えば、落下時に当接面４８ａに力Ｆが加わる場合の垂直抗力Ａは、下式（１）で表される。
Ａ＝Ｆ×ｃｏｓθ  …（１）
また、垂直抗力Ａの水平方向成分Ｈは、下式（２）で表される。
Ｈ＝Ａ×ｓｉｎθ  …（２）
【００４８】
従って、落下時に後端側端部５５ａに加わる−Ｚ側に向く水平方向成分の力Ｈ５５は、下式（３）で表される。
Ｈ５５＝Ｆ×ｃｏｓθ×ｓｉｎθ  …（３）
【００４９】
落下時に式（３）で表される力Ｈ５５が加わることにより、後端側端部５５ａは−Ｚ側に移動して板体２０に当接する。落下時に後端側端部５５ａが板体２０に当接することにより、板体２０は落下衝撃の一部を負担することになる。すなわち、板体２０が落下衝撃の一部を負担することにより、当接面４８ａに加わる落下衝撃を低減することができる。
【００５０】
上述のように、落下時に当接面４８ａに加わる単位面積あたりの落下衝撃を小さくする点、及び−Ｚ側に向く水平方向成分の力Ｈ５５を大きくする点から、交差角度θとしては、３０°以上、９０°未満であることが好ましく、３０°以上、７０°以下であることがより好ましい。
【００５１】
交差角度θが３０°未満の場合には、落下時に後端側端部５５ａが当接面４８ａに沿って滑る距離が短くなるとともに、水平方向成分の力Ｈ５５が小さくなり、当接面４８ａに加わる落下衝撃の低減量が十分ではなくなる可能性がある。交差角度θが９０°以上の場合には、当接面４８ａが後端側端部５５ａに当接することができなくなる。
【００５２】
また、交差角度θが７０°を超えた場合には、歯ブラシ５０の全長に対して当接面４８ａがＹ方向に長くなってしまい、歯ブラシ５０の全長に対してドーム部１１の長さが不必要に長くなってしまう。一方、ブリスター包装容器１のＹ方向の長さを規定値に収めるためには、容器本体１０におけるドーム部１１の位置を＋Ｙ側にずらすことが考えられるが、この場合、ヘッド収容部４３と切欠部６０とが干渉してしまい、ブリスター包装容器１を店頭で陳列する際に必要な切欠部６０を設けるスペースを確保できなくなる。
【００５３】
以上のように、本実施形態のブリスター包装容器１では、ドーム部１１においてハンドル部５５の後端側端部５５ａが当接し後端側に向かうのに従って板体２０に接近する向きに傾く当接面４８ａが設けられているため、板体２０の変形等で外観性を低下させることなく、落下時にドーム部１１において亀裂が発生することを抑制できる。
【００５４】
特に、本実施形態のブリスター包装容器１では、当接面４８ａとＸＺ平面と平行な面との交差角度θが３０°以上、７０°以下であるため、落下時に後端側端部５５ａが当接面４８ａに沿って滑る距離が短くなるとともに、水平方向成分の力Ｈ５５が小さくなり、当接面４８ａに加わる落下衝撃の低減量が十分ではなくなる等の交差角度θが３０°未満の場合に生じる不具合や、歯ブラシ５０の全長に対してドーム部１１の長さが不必要に長くなり外観性が低下するとともに、ブリスター包装容器１を店頭で陳列する際に必要な切欠部６０を設けるスペースを確保できなくなる等の交差角度θが７０°を超えた場合の不具合を抑制できる。
【００５５】
また、本実施形態のブリスター包装容器１では、正面視において、ヘッド部５３の突部５３ａに−Ｙ側から当接する当接部４３ａが設けられているため、落下衝撃の一部を当接部４３ａが吸収するため、落下時にドーム部１１において亀裂が発生することを一層抑制することが可能になる。
【００５６】
［実施例］
以下、実施例を示して本発明を詳細に説明するが、本発明は以下の実施例に限定されるものではなく、その要旨を逸脱しない範囲で適宜変更して実施することができる。
【００５７】
（実施例１〜６、比較例１）
［表１］に示す仕様に従って、当接面４８ａとＸＺ平面と平行な面との交差角度θ、ヘッド収容部４３の当接部４３ａの有無が異なるブリスター包装容器を実施例１〜６、比較例１のサンプルとした。各サンプルに対しては、強度解析ソフト（LS-DYNA,LSTC社（米国）製）を用いて解析した。解析は、歯ブラシが収容されたブリスター包装容器を５０ｃｍの高さから落下させた際の衝撃によってドーム部１１の当接部４８に発生する最大応力のシミュレーションを行い、最大応力の大きさから当接部４８の亀裂の発生し難さを評価した。また、実施例１、実施例３及び比較例１については、ブリスター包装容器を１ｍの高さから落下させた際にドーム部１１の亀裂発生数を測定する落下試験も行った。
【００５８】
（評価方法）
各サンプルに対するシミュレーション結果は、最大応力の値が１９．０（ｋｇｆ／ｍｍ２）以下のサンプルについてはＯＫとなる「○」の評価とし、最大応力の値が１９．０（ｋｇｆ／ｍｍ２）を超えたサンプルについてはＮＧとなる「×」の評価とした。
【００５９】
【表１】
2020066443.tif 000003
【００６０】
［表１］に示されるように、上記交差角度θが３０°未満である比較例１のブリスター包装容器については、５０ｃｍの高さから落下させた際の衝撃によって発生する最大応力の値が基準値を超えたが、上記交差角度θが３０°以上、７０°以下である実施例１〜６のブリスター包装容器については、最大応力の値が基準値以下であることを確認できた。また、［表１］に示されるように、交差角度θが同一である場合、ヘッド部５３の突部５３ａに−Ｙ側から当接する当接部４３ａを有する実施例１のブリスター包装容器は、当接部４３ａを有していない実施例３のブリスター包装容器がよりも最大応力の値が小さいことを確認できた。
【００６１】
さらに、［表１］に示されるように、比較例１のブリスター包装容器については、１ｍの高さから落下させた際に全てのブリスター包装容器（１２／１２）でドーム部１１に亀裂が発生したが、実施例１、３のブリスター包装容器については、全てのブリスター包装容器でドーム部１１に亀裂が発生しないことを確認できた。
【００６２】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００６３】
例えば、上記実施形態で説明した歯ブラシ５０の構成は一例であり、ブリスター包装容器に収容される歯ブラシとしては、ヘッド部、ネック部及びハンドル部を有していれば特に限定されない。
【００６４】
また、上記実施形態では、当接面４８ａがＸＺ平面がＸ軸周りに傾いた面と平行な傾斜面である構成を例示したが、この構成に限定されない。当接面４８ａとしては、例えば、側面視において、−Ｚ側に中心が配置された円弧状の曲面であってもよい。この場合、交差角度θとしては、当接面４８ａが後端側端部５５ａと当接する箇所の接線とＸＺ平面と平行な面とが交差する角度とすればよい。
【符号の説明】
【００６５】
１…ブリスター包装容器、  １０…容器本体、  １１…ドーム部、  ２０…板体、  ４３ａ…当接部（第２当接部）、  ４８…当接部、  ４８ａ…当接面、  ５０…歯ブラシ、  ５２…毛束、  ５３…ヘッド部、  ５３ａ…突部、  ５４…ネック部、  ５５…ハンドル部、  ５５ａ…後端側端部
【図１】
2020066443.tif 000004
【図２】
2020066443.tif 000005
【図３】
2020066443.tif 000006
【図４】
2020066443.tif 000007
【図５】
2020066443.tif 000008